(57)【要約】【課題】傘骨の中棒をプラスチック製とし、同時に色彩を有する管棒をその外部被せて設け、材質が軽く、環境保護に配慮し、リサイクルが可能で、コストを節約できる等の多くの利点を備えているほか、傘布の色に合わせて異なる色の管棒を組み合わせて使用し、傘の質感をさらに向上することができる、傘骨の構造の提供。【解決手段】環境に配慮したリサイクル可能な傘骨の構造であって、主に、傘体に中棒を設け、前記中棒の上部に上ロクロを設置し、前記上ロクロの周囲に複数の傘骨を枢着し、下ロクロを中棒上方に向かって滑動させると、受骨を介して傘骨が放射状に展開される傘体の構造において、前記中棒がプラスチック製であり、前記中棒の外側に管棒が被せて設置され、さらにプラスチックハンドルが前記中棒の末端に設置され、以上の構成部材により全プラスチックの傘骨を組成することを特徴とする。【選択図】図１
0003137584.tif 000002
【実用新案登録請求の範囲】
【請求項１】
環境に配慮したリサイクル可能な傘骨の構造であって、主に、傘体に中棒を設け、前記中棒の上部に上ロクロを設置し、前記上ロクロの周囲に複数の傘骨が折曲材を介し、或いは介さないで枢着し、複数の受骨の一端が前記傘骨の中段部に枢着され、他端が前記中棒の他端に設置された下ロクロ上に枢着され、前記下ロクロを中棒上方に向かって滑動させると、受骨が施力されて傘骨が放射状に展開され、そのうち、前記中棒がプラスチック製であり、管棒が前記中棒の外側に被せて設置され、前記管棒により平滑な表面が形成されると共に、前記中棒の末端にプラスチックハンドルを設置した構成としたことを特徴とする、環境に配慮したリサイクル可能な傘骨の構造。       
【請求項２】
前記傘骨が折曲材を介さないで折畳み式でない構成としたことを特徴とする、請求項１に記載の環境に配慮したリサイクル可能な傘骨の構造。
【請求項３】
前記傘骨が折曲材を介して折畳み式である構成としたことを特徴とする、請求項１に記載の環境に配慮したリサイクル可能な傘骨の構造。     
【請求項４】
前記管棒の色を組み合わせる傘布の色に合わせることを特徴とする、請求項１に記載の環境に配慮したリサイクル可能な傘骨の構造。
【請求項５】
前記中棒の上部の上ロクロの上方に石突を設置することが出来る構成としたことを特徴とする、請求項１に記載の環境に配慮したリサイクル可能な傘骨の構造。       
【考案の詳細な説明】
【技術分野】
【０００１】
本考案は環境に配慮したリサイクル可能な傘骨の構造に関し、特に、全プラスチック製の傘骨の構造設計であって、リサイクルが容易であると共に、特に傘骨の中棒上に有色の薄い管棒を配置し、外観上の美観と変化を向上した、環境に配慮したリサイクル可能な傘骨の構造に関する。
【背景技術】
【０００２】
傘の使用はすでに久しく、晴天でも雨天でも日傘や雨傘が使用され、どれも欠かすことができないものであり、このことから傘が人々の日常生活において使用される機会が非常に多いことが分かる。このため、適した優良な傘を持っていることは確実にその必要性があり、良好な傘の要件は、次のいくつかの点に基づき評価することができる：
1.        
強固で材質が軽い：惜しいことに、一般的な従来の傘骨は鉄製の構造が多く、金属的強度は備えているものの、その重量も重いため、携帯に不便であることがその欠点となっている。現在傘のハンドルと石突をプラスチック製にしたものがあるかもしれないが、その重量の低減には限りがある。同時に、金属部材が人体にけがを与えやすく、これも従来の傘の欠点である。
2.        
抗錆・抗腐蝕性に優れている：惜しいことに、一般的な従来の傘骨は鉄製であり、傘体を締めているワイヤ及び傘骨間のリベットもほとんどが金属製であるため、錆の発生の問題があり、雨天に使用すると錆が生じやすく、且つ塗装が剥げて美観に影響するほか、前記錆片及び裂開した塗装片が傘布を引っ掻いてしまったり、更には人体を引っ掻いてしまったりすると破傷風菌が存在する可能性があるため、従来の傘は危険性がある。
3.        
環境保護に配慮し汚染を生じない：惜しいことに、従来の金属傘骨は破損すると廃棄することになり、土壌の中では損壊しにくく、また一部のプラスチック部材が金属の傘骨上に設けられていても、却ってリサイクル分類が容易でなくなり、これらもまた従来品の欠点である。
4.        
リサイクルしてコストを節約できる：従来の中棒は鋼材製であり、錆が発生した後は回收できず、且つ、重量が重くコストが高いということが従来品のもう１つの欠点である。
5.        
色合いが全体でマッチしている：従来の傘の色は、ほとんどが傘布に色を選択でき、ハンドルは組み合わせることができるかもしれないが、中棒は鋼材製であるため、全体の組み合わせにおいて一体感のある美観に欠けることも従来品のよくあるもう１つの欠点である。
【０００３】
このため、上述の結論から分かるように、傘骨の構造部材において、特に中棒が最も重要であり、従来の金属構造は材質が重く、コストが高く、リサイクルできず、色彩の組み合わせに一体感がなく、さらに人体や衣服に傷を付けやすいという欠点があるほか、小さな傘骨に合わせる金属リベットやワイヤの掛止固定は加工速度が緩慢で大量生産ができないため、傘産業全体が直ちに向上することができない原因となっており、前述の欠点は徹底的に改善する必要がある。
【考案の開示】
【考案が解決しようとする課題】
【０００４】
上述の従来品の欠点を解決するため、且つ、傘骨がすでにプラスチック製に向かいつつあることを踏まえ、本考案の主な目的は、特に傘骨の中棒をプラスチック製とし、同時に色彩を有する管棒をその外部被せて設け、材質が軽く、環境保護に配慮し、リサイクルが可能で、コストを節約できる等の多くの利点を備えているほか、傘布の色に合わせて異なる色の管棒を組み合わせて使用し、傘の質感をさらに向上することができる、傘骨の構造を提供することにある。
【課題を解決するための手段】
【０００５】
本考案の環境に配慮したリサイクル可能な傘骨の構造は、主に、傘体に中棒を設け、前記中棒の上部に上ロクロを設置し、前記上ロクロの周囲に複数の傘骨を枢着し、下ロクロを中棒上方に向かって滑動させると、受骨を介して傘骨が放射状に展開される傘体の構造において、前記中棒がプラスチック製であり、前記中棒の外側に管棒が被せて設置され、さらにプラスチックハンドルが前記中棒の末端に設置され、以上の構成部材により全プラスチックの傘骨を組成する。
【考案の効果】
【０００６】
本考案の設計によれば、その実施上次のような利点がある。
1.      
本考案はプラスチック製の中棒の設計を利用し、手に持ちやすいだけでなく、材質が軽く、抗腐食性を備え、従来の金属の掛止部材やワイヤが人体に傷をつけやすいという欠点を回避し、使用上より安全であり、且つ環境保護に配慮していることが本考案の利点である。
2.       本考案は管棒を中棒の外部に被せて設け、中棒の平滑な表面を構成しており、前記管棒は一種の付属品であるため、傘布に合わせた色の管棒を中棒上に組み合わせることができ、これにより優れた触感と製品の質感を提供し、傘の色彩の組み合わせに一体感を持たせ、製品の高級性を高めることができる。
3.      
本考案の構造は、現在の傘の全プラスチック化に向けた製作目標に沿っており、重量を軽減できるだけでなく、同時にプラスチック材のリサイクルに便利であり、環境保護の機能を備えており、且つ、プラスチック製の部材は製作が容易で生産をより迅速化でき、コストを抑えることができるということも本考案の利点の１つである。
【考案を実施するための最良の形態】
【０００７】
本考案の内容について更なる理解を促すため、以下、図面に基づき詳細に説明する。
【０００８】
図１に示すように、本案の傘体は中棒１０が設けられ、前記中棒１０上部に上ロクロ２０が設置され、前記上ロクロ２０の周囲に８〜１０本程度の傘骨３０が枢着される。図１、図２に本考案を折り畳み式の傘骨３０に応用した実施例を示す。前記傘骨３０は内から外に向かって順に設けられた第一傘骨３１、第二傘骨３２及び先骨３４から構成され、第１傘骨３１、第２傘骨３２、先骨３４が相互間の端部を相互に折曲材３１Ａ、３２Ａを介在させて接続して連結され、且つ、傘骨３０の伸張を制御するワイヤ（図示しない）が連結される。さらに受骨３３は一端が前記第一傘骨３１の中段部に枢着され、他端が中棒１０の他端に設けられた下ロクロ２１上に枢着されて設置され、下ロクロ２１を中棒１０上方に向かって滑動させると、受骨３３に施力され、第一傘骨３１を押し開き、折曲材３１Ａを介してさらに第二傘骨３２と折曲材３２Ａを介して先骨３４を連動して放射状に押し開くことができ、逆方向の操作で各折曲材３１Ａ、３２Ａを介して各傘骨を折り畳むことができる。本考案を折り畳み式でない傘に応用する場合は、図３に示すように、従来の一般的なものと同様の構造で、傘骨３０が直接押し開かれるが、ここでは説明を省略する。
【０００９】
本考案は特に次のような特徴がある（図１及び図２を範例とする）。本考案の中棒１０はプラスチック製であり、手に持ちやすいだけでなく、且つ材質が軽く、抗腐蝕性に優れている。さらに、別途管棒４０が中棒１０の外側に被せて設けられ、平滑な表面を形成し、前記管棒４０は一種の付属品であり、傘布の色に合わせて提供することができ、且つ、触感と質感を向上することができる。また、プラスチックハンドル５０が中棒１０の末端に設置され、これを把持する位置とし、以上の構成部材で全プラスチックの傘骨の構造を構成する。
【００１０】
中棒１０の上部の上ロクロ２０の上方の位置に必要に応じて石突６０を設けることができ、前記石突６０は折り畳み式傘に応用する際はほとんどが短い柱状を呈し、折り畳み式でない傘に応用する際は、通常尖った長い柱状を呈するものとすることができる。
【００１１】
本考案は積極的な開発と努力の結果、全プラスチックの傘を提供するに至ったものであり、環境保護、美観、安全性、軽量、優れた触感と質感向上等の利点を備え、新規性を有するだけでなく、産業的利用性と消費者の期待に沿ったものであり、実用新案登録出願の要件を満たしているため、ここに実用新案登録を出願するものである。
【図面の簡単な説明】
【００１２】
【図１】本考案の主な構造を示す立体図である。
【図２】本考案の中棒と有色の管棒が分解された状態の立体図である。
【図３】本考案を折畳み式でない傘に応用した実施例の立体図である。
【符号の説明】
【００１３】
１０      中棒
２０      上ロクロ
２１      下ロクロ
３０      傘骨
３１      第一傘骨
３２      第二傘骨
３３      受骨
３４      先骨
４０      管棒
５０      ハンドル
６０      石突     
【図１】
0003137584.tif 000003
【図２】
0003137584.tif 000004
【図３】
0003137584.tif 000005